(57)【特許請求の範囲】
【請求項１】
扉側に固定し、マグネットを配設した戸当たり本体と、床面に固定し、床面より突出するようにストッパ片を揺動可能に配設した係止具本体とからなり、開扉時に扉が設定された位置にきたときに、マグネットの励磁吸着作用によりストッパ片を床面より突出させて戸当たり本体側に当接させ、それ以上の開扉を阻止するように構成した戸当たりにおいて、戸当たり本体を、扉に固定する本体ベースに、ストッパ片に形成した係止部に係止する係止爪を形成した戸当たり片と、マグネットを配設したマグネット取付片とを、共通の軸を介して、それぞれ独立して揺動可能に配設して構成したことを特徴とする戸当たり。
【請求項２】
戸当たり片を、該戸当たり片に形成した係止爪が、ストッパ片に形成した係止部に係止されない退避位置に保持できるようにしたことを特徴とする請求項１記載の戸当たり。
【請求項３】
戸当たり片を、係止爪を形成した金属製の戸当たり片本体と、合成樹脂製の操作片とで構成したことを特徴とする請求項１又は２記載の戸当たり。
【請求項４】
係止具本体を、金属板部材からなる、床面に固定する係止具本体ベースと、該係止具本体ベースに軸支されるストッパ片とで構成するとともに、プレス加工により形成した凹凸部で以て軸受部を構成し、軸受部を含む係止具本体の厚みが、実質的に係止具本体ベース及びストッパ片を構成する金属板部材の板厚を合計したものとなるようにしたことを特徴とする請求項１、２又は３記載の戸当たり。
【発明の詳細な説明】
【０００１】
【発明の属する技術分野】
本発明は、戸当たりに関し、特に、床面のバリアフリー化を図るため床面からの突出高さを可及的に低くし、かつフック掛けなどの面倒な操作をなくして確実に定位置で扉を停止させ、開扉状態を保持し、あおりを防止することができるようにした戸当たりに関するものである。
【０００２】
【従来の技術】
従来の戸当たりは、扉に当接する側にゴムなどの緩衝体を配設し、かつ床面に突出するように取り付ける戸当たり本体と、扉側に取り付けた係止具とよりなり、開扉時戸当たり本体に扉を当接するようにし、戸当たり本体に備えたフックを係止具に引っ掛けて係止できるように構成している。
これにより、扉の許容範囲以上に開かないようにするとともに、戸当たり本体に配設したフック或いは止め金具を、扉側の係止片に引っ掛けることにより、定位置で解放状態を保持するようにしている。
【０００３】
【発明が解決しようとする課題】
ところで、上記従来の戸当たりにおいては、床面より上方に、少なくとも扉の下端部側面と接触するよう突出させて戸当たり本体を取り付けているため、床面に突起物が高く突出するものとなり、閉扉時にこれが通行の妨げとなったり、場合によっては、歩行時に躓いたりするという問題があった。
また、開戸状態を保つためには、腰を屈めて扉側に取り付けたフックを戸当たりに引掛け、また、扉を閉じる場合にもこのフックを外す作業を要し、特に高齢者にとってはフックの掛け外し時に腰を屈めての操作が困難になるという問題があった。
【０００４】
本発明は、上記従来の戸当たりの有する問題点に鑑み、躓きにくくバリアフリー化を図ることができ、さらに、腰を屈めて行う面倒なフックの掛け、外しの作業を簡略化できるようにした戸当たりを提供することを目的とする。
【０００５】
【課題を解決するための手段】
上記目的を達成するため、本発明の戸当たりは、扉側に固定し、マグネットを配設した戸当たり本体と、床面に固定し、床面より突出するようにストッパ片を揺動可能に配設した係止具本体とからなり、開扉時に扉が設定された位置にきたときに、マグネットの励磁吸着作用によりストッパ片を床面より突出させて戸当たり本体側に当接させ、それ以上の開扉を阻止するように構成した戸当たりにおいて、戸当たり本体を、扉に固定する本体ベースに、ストッパ片に形成した係止部に係止する係止爪を形成した戸当たり片と、マグネットを配設したマグネット取付片とを、共通の軸を介して、それぞれ独立して揺動可能に配設して構成したことを特徴とする。
【０００６】
この戸当たりは、扉側に固定し、マグネットを配設した戸当たり本体と、床面に固定し、床面より突出するようにストッパ片を揺動可能に配設した係止具本体とからなり、開扉時に扉が設定された位置にきたときに、マグネットの励磁吸着作用によりストッパ片を床面より突出させて戸当たり本体側に当接させ、それ以上の開扉を阻止するように構成した戸当たりにおいて、戸当たり本体を、扉に固定する本体ベースに、ストッパ片に形成した係止部に係止する係止爪を形成した戸当たり片と、マグネットを配設したマグネット取付片とを、共通の軸を介して、それぞれ独立して揺動可能に配設して構成したことにより、開扉時以外は係止具本体のストッパ片は床面より突出しないため、躓き等を未然に防止することができ、開扉時扉が係止具本体位置にきたときに、マグネットの励磁吸着作用によりストッパ片を床面より突出させて戸当たり本体側に当接させ、それ以上の開扉を阻止することができる。
そして、特に、戸当たり片に、ストッパ片に形成した係止部に係止する係止爪を形成することにより、人が扉に当たったり、強風等の強い力が扉に作用しても、扉が閉じるのを防止し、扉の開放状態を維持することができる。
【０００７】
そして、戸当たり本体を、扉に固定する本体ベースに、ストッパ片に形成した係止部に係止する係止爪を形成した戸当たり片と、マグネットを配設したマグネット取付片とを、共通の軸を介して、それぞれ独立して揺動可能に配設して構成することにより、マグネットによるストッパ片の励磁吸着動作及び戸当たり片に形成した係止爪とストッパ片に形成した係止部との係止動作を円滑に行うようにすることができる。
【０００８】
また、戸当たり片を、該戸当たり片に形成した係止爪が、ストッパ片に形成した係止部に係止されない退避位置に保持できるようにすることができる。
【０００９】
これにより、戸当たり片に形成した係止爪とストッパ片に形成した係止部との係止動作を選択的に行うようにしたり、行わないようにすることができる。
【００１０】
また、戸当たり片を、係止爪を形成した金属製の戸当たり片本体と、合成樹脂製の操作片とで構成することができる。
【００１１】
これにより、所要の強度を有する戸当たり片を、容易に、かつ、製造コストを低廉に製造することができる。
【００１２】
また、係止具本体を、金属板部材からなる、床面に固定する係止具本体ベースと、該係止具本体ベースに軸支されるストッパ片とで構成するとともに、プレス加工により形成した凹凸部で以て軸受部を構成し、軸受部を含む係止具本体の厚みが、実質的に係止具本体ベース及びストッパ片を構成する金属板部材の板厚を合計したものとなるようにすることができる。
【００１３】
これにより、係止具本体の厚みを薄くすることができ、躓ききくくバリアフリー化を容易に図ることができ、また、厚みの薄い係止具本体を、容易に、かつ、製造コストを低廉に製造することができる。
【００１４】
【発明の実施の形態】
以下、本発明の戸当たりの実施の形態を図面に基づいて説明する。
【００１５】
図１〜図８に、戸当たりの参考例を示す。
【００１６】
この戸当たりは、本体ベース１にマグネット２４を備えた戸当たり片２を上下動及び揺動可能に配設してなり、かつ扉Ｄ側に固定する戸当たり本体Ａと、床面Ｆに固定する係止具本体ベース３に取り付けられ、開扉時のみ床面より突出するように揺動する励磁性のストッパ片４を備えた係止具本体Ｂとより構成する。
【００１７】
戸当たり本体Ａを構成する戸当たり本体ベース１は、図２及び図３に示すように、扉Ｄにビス止めできるように、特に限定されるものではないが、四角形、円形などの形状をしたベース１０の表面に、対向するように突設した２つのブラケット１１，１１に同一軸線上となるようにした軸孔１１ａ，１１ａとピン孔１２とを形成するとともに、このブラケット１１，１１の外側位置に扉Ｄにビス止めするためのビス孔１３，１３を形成し、さらに上下位置には保持片１４を突設して構成する。
【００１８】
なお、この戸当たり本体ベース１は、マグネットにより励磁されない材質、これは特に限定されるものではないが、例えば、合成樹脂、亜鉛合金、アルミニウム合金等にて製作するとともに、さらには、上下方向に揺動する所謂首振り可能に軸１５を介して取り付けた戸当たり片２を、一定の姿勢を保った状態で保持できるようにした保持片１４を、対向するブラケット１１，１１間で、かつその上方位置に突設するようにして形成する。これにより、戸当たり片２の上端を押圧するように保持するようにする。
【００１９】
戸当たり片２は、図２及び図４に示すように、戸当たり本体ベース１のブラケット１１，１１間にて首振りできるように上下動及び揺動可能に配設され、また、戸当たり本体ベース１と同様にマグネットにより励磁されない材質で製作するもので、この本体２０の先端側上方部には戸当たり片２の首振りを強制的に行うための操作片２１を、また、この下方部にはロック用の係止爪２２をそれぞれ突設するようにして一体に形成し、さらに、この本体２０の基端側にはＬ字形をした軸孔２３を戸当たり片２の幅（横）方向に貫通するように形成し、これにより、戸当たり本体ベース１のブラケット１１，１１間に戸当たり片２を嵌挿配置し、軸孔２３とブラケット１１，１１の軸孔１１ａ，１１ａ間に軸１５を貫通することにより、戸当たり本体Ａの本体ベース１に対し、戸当たり片２を上下方向Ｘの昇降と揺動Ｙとを可能にして支持するようにする。
また、この戸当たり片２の下面にはマグネット２４を埋設、或いは貼着するが、このマグネット２４は、ストッパ片４を浮き上がらせて吸着できるように強力な磁力を有する永久磁石を用いるようにする。
【００２０】
この戸当たり片２の上方に突設する操作片２１は、足先、手指等にて押すことにより戸当たり片２を、軸１５を中心にして揺動操作をできるものであれば、その形状、サイズ等は、特に限定されるものではない。
また、下方に突出する係止爪２２は、扉Ｄが開かれる方向に移動する際には、ストッパ片４とは係止せず、最大許容開度になったときに、操作片２１を押し下げることにより、ストッパ片４の係止部としての係止孔４２に嵌合係止され、扉Ｄが閉じる方向への移動に対し、ロックされるようになって戸当たり片２がストッパ片４より妄りに外れないようにする。なお、この係止孔４２は、係止爪２２と嵌合し、係止するような形状、特に限定されるものではないが、例えば、図示のように四角形とする。
さらに、戸当たり片２の少なくとも一方の外側面には首振りをする戸当たり片２の姿勢を制御するための制御用溝２５を、図４に示すように前記Ｌ字形の軸孔１１ａに隣接して形成し、この制御用溝２５内に一方のブラケット１１に突設したピンＰの先端を嵌合するようにし、これにより、戸当たり片２が軸孔２３内を貫通した軸１５を支点として上下方向に洋装する際、図８に示すように、その揺動に応じてピンＰの先端が制御用溝２５内に移動し、その姿勢を制御するようにする。
また、戸当たり片２の本体内では縦方向に、天面が閉塞され、下面が開口したばね嵌挿孔２６を形成する。このばね嵌挿孔２６の側方にはＬ字形の軸孔１１ａ，１１ａが横方向に貫通するよう形成される。
これにより、ばね嵌挿孔２６内にばね、例えば、コイルばね２７を嵌挿したときに、ばね２７の下端は軸孔１１ａ内に貫通される軸１５に支持され、このコイルばね２７のばね圧により常時戸当たり片２を上方へ押し上げる力を作用するようにし、図１、図５に示すように、戸当たり片２の上端面が保持片１４に押圧され、戸当たり片２が妄りに揺動しないように保持されるようにする。
【００２１】
また、係止具本体Ｂは、図６に示すように、床面Ｆにフラットに取り付けられるように形成した係止具本体ベース３と、これに開扉しない限り常時係止具本体ベース３のベース本体３０の表面と面一となるよう支持され、かつ戸当たり本体Ａのマグネット２４の励磁作用により吸着され先端部が突出するように揺動するストッパ片４と、このストッパ片４が係止具本体ベース３の床面に固定する前に、係止具本体ベース３０より離間しないように、係止具本体ベース３の裏に嵌合する裏蓋３７とより構成する。
【００２２】
この係止具本体ベース３のベース本体３０は、戸当たり本体Ａと同様に好ましくは非磁性体で製作し、床面Ｆにフラットに取り付けられる形状、特に限定されることはないが、例えば、円形とし、床面に複数本のビスＢを用いてビス止めできるようにビス孔３３，３３，３４と、ストッパ片４を嵌挿する窓孔３２とを形成するとともに、裏面側にはストッパ片４を揺動可能に係止する係止溝３６と裏蓋３７を嵌合する裏蓋溝３１を形成する。
このビス孔３３，３３は、取付後、ビスを外すことなく少し弛めるだけで係止具本体ベース３を回転させられるように円弧形とし、これにより、ストッパ片４の先端の向きを調整、すなわち、ストッパ片４の先端が扉Ｄに取り付けた戸当たり本体Ａの定位置に正確に当接するように調整できるようにする。なお、ビス孔３４は、係止具本体ベース３の向き調整後の固定用で通常の丸孔とする。
【００２３】
ストッパ片４は、特に限定されるものではないが、図６（Ｃ）、（Ｄ）に示すように、先端面が円弧形とした係止具本体のベース本体３０に形成した窓孔３２と同じ形状をし、基端側には幅方向に突出するように、軸となる係止片４１，４１を突設し、かつこの係止片４１，４１とストッパ片４の本体との間を少しへ字形に屈曲し、これによりストッパ片４は係止具本体ベース３０の表面上より突出する際、係止片４１，４１にて係止溝３６と揺動可能に係止され、抜け出ないようにするが、ストッパ片４は略水平にして窓孔３２内に嵌挿できるよう構成する。
このようにストッパ片４の先端面の形状を、円弧形とすることにより、扉との接触を確実に行えるものとなる。
【００２４】
なお、戸当たり本体Ａの組み立ては、戸当たり本体ベース１のブラケット１１，１１間に戸当たり片２を嵌挿し、ばね嵌挿孔２６内にばね２７を嵌挿し、軸孔２３とＬ字形の軸孔１１ａ間に軸１５を貫通して行う。この際、ばね２７は軸１５と押圧するようにする。これにより、戸当たり片２はばね２７の作用にて常に戸当たり本体ベース１に対し上方へ押し上げる力が働くようになる。
また、係止具本体Ｂの組み立ては、係止具本体ベース３の裏側よりストッパ片４を窓孔３２内に嵌挿し、その係止片４１，４１を係止溝３６に嵌合係止し、揺動可能とするとともに、裏蓋溝３１内に裏蓋３７を嵌合して行う。この裏蓋３７は、係止具本体ベース３を床面にビス止めすることにより固定される。
このときに、ビス止めを弛めることにより、係止具本体Ｂを旋回させることにより、向きを調整できる。
【００２５】
次に、この戸当たりの動作について説明する。
床面Ｆの所定位置にはストッパ片４を組み込んだ係止具本体Ｂを、扉Ｄ側には戸当たり片２を組み込んだ戸当たり本体Ａをそれぞれビス止め等にて固定する。
この戸当たり本体Ａを扉に取り付けたときに、戸当たり片２は、戸当たり本体ベース１に対し、図１に示すように、ばね２７にて押し上げられた戸当たり片２の本体２０の上端面が保持片１４に当接し、戸当たり片２はほぼ垂直状態で保持されている。
この状態で扉Ｄを開けたときに、係止具本体Ｂに組み込んだストッパ片４が、戸当たり片２と確実に当接するように係止具本体Ｂの向きを調整した後、床面に固定する。
【００２６】
扉Ｄを開くときに、戸当たり片２が係止具本体Ｂの上方位置に到達すると、戸当たり片２のマグネット２４によりストッパ片４が励磁され、係止片４１，４１を軸として係止具本体ベース３より上方へストッパ片４の先端側が突出するように揺動し、図１（Ｂ）に示すように、マグネット片が吸着され、さらに扉Ｄが開くと、ストッパ片４を吸着しつつ戸当たり片２が移動し、ストッパ片４の先端が戸当たり片２の段面２８に当接し、これにより扉Ｄは停止する。このとき、図１（Ｂ）に示すように、ストッパ片４は戸当たり片のマグネット２４に吸着された状態で保持される。
なお、この状態では、扉の開き方向へは停止されるが、この扉の保持力は比較的弱いもので、扉を閉じる方向に操作することにより、マグネットによる吸着力が解除され、扉は閉じることができる。
【００２７】
次に、開扉状態を保持する場合について説明する。
この場合は、操作片２１を足先、手指等にて押し下げることにより、保持片１４による保持が解除され、戸当たり片２はばね２７の作用により軸孔２３に沿って移動するようになり、上方へ押し上げられるようにして戸当たり片上端が前方へ突出して揺動（傾動）し、これにより戸当たり片２が自由に揺動可能となり、下端の係止爪２２がストッパ片４の係止孔４２に嵌合係止され、ロックが掛かった状態となる。
また、反対にこの戸当たり片２のロック状態を解除するには、操作片２１を足先、手指等にて押し上げるようにすれば戸当たり片２が上方向へ揺動し、ストッパ片との係止が解除され、扉は自由に閉じるようになる。
なお、このときに、俯くことが困難であれば、戸当たり片２には操作片２１が突設されているので、該操作片２１の押し下げ、押し上げ等の操作を、足先にて行うことにより腰を屈めたり、俯く必要はない。
【００２８】
図９〜図１２に、本発明の戸当たりの第１実施例を示す。
この戸当たりは、扉Ｄに固定する本体ベース５に対し、戸当たり片６とマグネット取付片７とを個別的に揺動可能に取り付けた戸当たり本体１Ａと、図６に示す構成の係止具本体Ｂとより構成する。
なお、係止具本体Ｂは上記参考例と同じ構成を有するため、説明を省略する。
【００２９】
本体ベース５は、図１０に示すように、扉Ｄにビス止めにて固定できるように、特に限定されるものではないが、四角形などの形状をしたベース５０の表面中央下部に突設するように、軸孔５１ａを形成したブラケット５１を形成するとともに、該ブラケット５１の両側位置にマグネット取付片７の当たり面５４を傾斜面となるように形成し、このブラケット５１と対向するようベース５０の上端縁の一部を切り欠くようにして戸当たり片６を係止するための係止溝５２を形成して構成する。
なお、５３，５３は扉Ｄへビス止めするための長孔状のビス孔で、これにより取付高さを調整可能にして扉Ｄへ固定できるようにする。
また、係止溝５２は、図１０（Ａ）、（Ｄ）に示すように、上端縁は傾斜面とし、戸当たり片６の止片６１が係止できるように形成する。
【００３０】
戸当たり片６は、図１１に示すように、本体６０の一端側上面にフック形をし、かつ前記本体ベース１の係止溝５２に係止可能なようにした止片６１を突出するように形成し、本体６０の両側下部には、軸孔６４を形成したブラケット６３，６３を対設するとともに、止片６１を突設した反対側の端部下面にはロック用の係止爪６２を形成して構成する。
この対設するブラケット６３，６３の内幅は、後述するマグネット取付片７のブラケット７１，７１を揺動可能に挿入できるようにして定め、かつブラケット６３，６３に形成する軸孔６４，６４は同一軸線となるようにし、これにより１本の軸８にて本体ベース５に、戸当たり片６、マグネット取付片７を個別的に揺動可能に取り付けられるようにする。
【００３１】
マグネット取付片７は、図１２に示すように、戸当たり片６の下面に形成したくぼみ６５内に挿入できる大きさと形状を有し、一端側には本体ベース５に突設したブラケット５１を挿入できるよう切欠溝７５を形成するとともに、この切欠溝７５の両側部に、軸孔７２を形成したブラケット７１，７１を対設し、本体７０にマグネット嵌合穴７３を形成し、該穴７３内にマグネット７４を嵌合固定して構成する。
なお、このマグネット７４は永久磁石で、本体７０に接着又は圧着にて固定する。
また、本体ベース５、戸当たり片６、マグネット取付片７はすべて、マグネットにより励磁されない材質、これは特に限定されるものではないが、例えば、合成樹脂、亜鉛合金、アルミニウム合金等にて製作する。
【００３２】
次に、本体ベース５、戸当たり片６、マグネット取付片７の組み立てについて説明する。
まず、本体ベース５のブラケット５１の両側に、戸当たり片６のブラケット６３，６３を対設するようにして本体ベース５の表面側に戸当たり片６を配設する。
次に、この戸当たり片６のくぼみ６５内にマグネット取付片７を挿入する。このとき、本体ベース５、戸当たり片６、マグネット取付片７の各軸孔５１ａ、６４、７２は同一軸心となるようにし、この軸孔内に１本の軸８を嵌入することにより、戸当たり本体１Ａを組み立てる。
これにより、本体ベース５に対し戸当たり片６、マグネット取付片７が個別的に揺動可能となる。
【００３３】
次に、この戸当たりの動作について説明する。
床面Ｆの所定位置に係止具本体Ｂを、扉Ｄ側に戸当たり本体１Ａをそれぞれビス止め等にて固定する。
この戸当たり本体１Ａを扉に取り付けたときに、戸当たり片６は、本体ベース５に対し、図９（Ｂ）に示すように、戸当たり片６の止片６１が本体ベース５の係止溝５２に係止され、戸当たり片６はほぼ水平状態、マグネット取付片７はこの戸当たり片６より、特に限定されるものではないが、例えば約３０度傾いた位置で、マグネット取付片が本体ベース５の当たり面５４に当接され、傾斜状態で、しかも揺動可能状態で保持されている。
そして、この状態で扉Ｄを開けたときに、係止具本体Ｂに組み込んだストッパ片４が、戸当たり片６と確実に当接するように係止具本体Ｂの向きを調整した後、床面に固定する。
【００３４】
まず、開扉状態を保持しない場合について説明する。
扉Ｄを開くときに、扉Ｄが床面Ｆに固定した係止具本体Ｂに接近するまで戸当たり片６は、図９（Ｂ）に示すように、正規の位置で保持されている。
そして、この戸当たり片６が係止具本体Ｂの上方位置に到達すると、マグネット取付片７のマグネット７４によりストッパ片４が励磁され、このマグネット７４の吸着力にてストッパ片４が吸着され、この状態でさらに扉Ｄを開くと、ストッパ片４とマグネット７４とは互いに吸着されつつ摺動し、ストッパ片４の先端がマグネット取付片７又は戸当たり片６の一部に当接し、これにより扉Ｄは停止する。このとき、ストッパ片４はマグネット取付片７のマグネット７４に吸着された状態で保持される。
なお、この状態では、扉の開き方向へは停止されるが、この扉の保持力は比較的弱いもので、扉を閉じる方向に操作することにより、マグネットによる吸着力が解除され、扉は閉じることができる。
【００３５】
次に、開扉状態を保持する場合について説明する。
この場合は、戸当たり片６の本体６０の先端を、足先、手指等にて押し下げることにより、止片６１と係止溝５２との係止が解除され、これにより戸当たり片６が軸８を中心にして揺動可能となり、下端の係止爪６２が降下することとなり、ストッパ片４の係止孔４２に嵌合係止され、ロックが掛かった状態となり、扉Ｄが風にあおられても、或いは意に反した外力がかかった場合でも、扉Ｄは妄りに閉まることがない。
また、反対にこの戸当たり片６のロック状態を解除するには、止片６１を足先、手指等にて押し上げるようにすれば戸当たり片６が上方向へ揺動し、止片６１と係止溝５２とが再び係止し、扉は自由に閉じるようになる。
【００３６】
図１３〜図２１に、本発明の戸当たりの第２実施例を示す。
この戸当たりは、扉Ｄに固定する本体ベース５に対し、戸当たり片６とマグネット取付片７とを個別的に揺動可能に取り付けた戸当たり本体２Ａと、係止具本体２Ｂとより構成する。
【００３７】
本体ベース５は、図１３及び図１４に示すように、扉Ｄにビス止めにて固定できるように、特に限定されるものではないが、四角形などの形状をしたベース５０にドーム状のカバー５５を形成するとともに、カバー５５に基部側に軸孔５１ａを形成したブラケット５１を形成する。
カバー５５には、後述の戸当たり片６の操作片６７の操作部６７ａを挿通するための窓孔５６を形成し、さらに、内面に、戸当たり片６の操作片６７の係止突条６７ｄを係止して、戸当たり片６に形成した係止爪６２が、ストッパ片４に形成した係止部４２に係止されない退避位置に保持できるようにするための係止突状５７と、マグネット取付片７の揺動を規制するため揺動規制縁５８とを形成するようにする。
なお、５３，５３は扉Ｄへビス止めするための長孔状のビス孔で、これにより取付高さを調整可能にして扉Ｄへ固定できるようにする。
【００３８】
戸当たり片６は、図１３、図１５及び図１６に示すように、係止爪６２を形成した金属製の戸当たり片本体６０と、合成樹脂製の操作片６７とで構成するようにする。
これにより、所要の強度を有する戸当たり片６を、容易に、かつ、製造コストを低廉に製造することができるものとなる。
【００３９】
金属製の戸当たり片本体６０には、軸孔６４を形成したブラケット６３，６３を対設するとともに、反対側の端部下面にはロック用の係止爪６２，６２を形成する。
この対設するブラケット６３，６３の内幅は、後述するマグネット取付片７のブラケット７１，７１を揺動可能に挿入できるようにして定め、かつブラケット６３，６３に形成する軸孔６４，６４は同一軸線となるようにし、これにより１本の軸８にて本体ベース５に、戸当たり片６、マグネット取付片７を個別的に揺動可能に取り付けられるようにする。
さらに、戸当たり片本体６０の上面には、操作片６７の係合穴６７ｂに挿入して、戸当たり片本体６０と操作片６７を一体化する連結片６６を形成する。
【００４０】
合成樹脂製の操作片６７は、ベース５０のドーム状のカバー５５の内周面に摺接する摺接片６７ｃを有するとともに、その上面に操作部６７ａを、下面に戸当たり片本体６０の連結片６６を挿入するための係合穴６７ｂを形成する。
また、摺接片６７ｃの上面の端部には、係止突条６７ｄを形成し、この係止突条６７ｄを、ベース５０のドーム状のカバー５５の内周面に形成した係止突状５７に係止して、戸当たり片６に形成した係止爪６２が、ストッパ片４に形成した係止部４２に係止されない退避位置に保持できるようにする。
【００４１】
マグネット取付片７は、図１７に示すように、本体７０に、軸孔７２を形成したブラケット７１及びマグネット嵌合穴７３を形成し、該穴内にマグネット７４を嵌合固定して構成する。
なお、このマグネット７４は永久磁石で、本体７０に接着又は圧着にて固定する。
また、本体ベース５、戸当たり片６、マグネット取付片７はすべて、マグネットにより励磁されない材質、これは特に限定されるものではないが、例えば、合成樹脂、亜鉛合金、アルミニウム合金等にて製作する。
【００４２】
次に、本体ベース５、戸当たり片６、マグネット取付片７の組み立てについて説明する。
まず、本体ベース５のブラケット５１の両側に、戸当たり片６のブラケット６３，６３を対設するようにして本体ベース５の表面側に戸当たり片６を配設する。
次に、この戸当たり片６のくぼみ６５内にマグネット取付片７を挿入する。このとき、本体ベース５、戸当たり片６、マグネット取付片７の各軸孔５１ａ、６４、７２は同一軸心となるようにし、この軸孔内に１本の軸８を嵌入することにより、戸当たり本体２Ａを組み立てる。
これにより、本体ベース５に対し戸当たり片６、マグネット取付片７が個別的に揺動可能となる。
【００４３】
また、係止具本体２Ｂは、図１３及び図１９〜図２１に示すように、床面Ｆにフラットに取り付けられるように形成した係止具本体ベース３と、これに開扉しない限り常時係止具本体ベース３のベース本体３０の表面と略面一となるよう支持され、かつ戸当たり本体２Ａのマグネット２４の励磁作用により吸着され先端部が突出するように揺動するストッパ片４と、ストッパ片４の上方を除いて係止具本体ベース３の表面を覆うカバー９とより構成する。
【００４４】
この係止具本体ベース３のベース本体３０は、図１９に示すように、戸当たり本体Ａと同様に好ましくは非磁性体で製作し、床面Ｆにフラットに取り付けられる形状、特に限定されることはないが、例えば、円形とし、床面に複数本のビスＢを用いてビス止めできるようにビス孔３３，３３，３４を形成するとともに、周縁にはカバー９を係止する係止部３７，３７を形成する。
このビス孔３３，３３は、取付後、ビスを外すことなく少し弛めるだけで係止具本体ベース３を回転させられるように円弧形とし、これにより、ストッパ片４の先端の向きを調整、すなわち、ストッパ片４の先端が扉Ｄに取り付けた戸当たり本体２Ａの定位置に正確に当接するように調整できるようにする。なお、ビス孔３４は、係止具本体ベース３の向き調整後の固定用で通常の丸孔とする。
【００４５】
ストッパ片４は、図２０に示すように、特に限定されるものではないが、先端側に戸当たり片６の係止爪６２が係止されるストッパ片４の係止部としての幅広部４２を形成し、さらに、好ましくは、幅広部４２の基部側に、戸当たり片６の係止爪６２の偏倚を吸収するための幅狭部４４を形成する。
【００４６】
ところで、本実施例において、係止具本体２Ｂは、金属板部材からなる、床面に固定する係止具本体ベース３と、この係止具本体ベース３に軸８により軸支されるストッパ片４とで構成し、特に、プレス加工により形成した凹凸部で以て軸受部３８，４３、具体的には、（係止具本体ベース３においては、透孔３８ｃの両側に凸部３８ｂを、さらに、その外側に凹部３８ａからなる軸受部３８を、また、ストッパ片４においては、中心位置に凹部４３ａを、その両側に凸部４３ｂからなる軸受部４３を形成するようにしている。）を構成し、軸受部３８，４３を含む係止具本体２Ｂの厚みが、実質的に係止具本体ベース３及びストッパ片４を構成する金属板部材の板厚を合計したものとなるようにするようにしている。
これにより、係止具本体２Ｂの厚みを薄くすることができ、躓きにくくバリアフリー化を容易に図ることができ、また、厚みの薄い係止具本体２Ｂを、容易に、かつ、製造コストを低廉に製造することができるものとなる。
【００４７】
次に、この戸当たりの動作について説明する。
床面Ｆの所定位置に係止具本体２Ｂを、扉Ｄ側に戸当たり本体２Ａをそれぞれビス止め等にて固定する。
この場合、係止具本体Ｂに組み込んだストッパ片４が、戸当たり片６と確実に当接するように係止具本体Ｂの向きを調整した後、床面に固定する。
【００４８】
まず、開扉状態を保持しない場合について、図１３（Ａ）に基づいて説明する。
このとき、戸当たり本体２Ａの戸当たり片６の操作片６７の摺接片６７ｃの上面の端部に形成した係止突条６７ｄを、ベース５０のドーム状のカバー５５の内周面に形成した係止突状５７に係止して、戸当たり片６に形成した係止爪６２が、ストッパ片４に形成した係止部４２に係止されない退避位置に保持するようにする。
この状態で扉Ｄを開き、戸当たり片６が係止具本体Ｂの上方位置に到達すると、マグネット取付片７のマグネット７４によりストッパ片４が励磁され、このマグネット７４の吸着力にてストッパ片４が吸着され、この状態でさらに扉Ｄを開くと、ストッパ片４とマグネット７４とは互いに吸着されつつ摺動し、ストッパ片４の先端がマグネット取付片７又は戸当たり片６の一部に当接し、これにより扉Ｄは停止する。このとき、ストッパ片４はマグネット取付片７のマグネット７４に吸着された状態で保持される。
なお、この状態では、扉の開き方向へは停止されるが、この扉の保持力は比較的弱いもので、扉を閉じる方向に操作することにより、マグネットによる吸着力が解除され、扉は閉じることができる。
【００４９】
次に、開扉状態を保持する場合について、図１３（Ｂ）に基づいて説明する。
このとき、戸当たり本体２Ａの戸当たり片６の操作片６７の摺接片６７ｃの上面の端部に形成した係止突条６７ｄを、ベース５０のドーム状のカバー５５の内周面に形成した係止突状５７に係止しないようにして、戸当たり片６を揺動可能にすることにより、戸当たり片６に形成した係止爪６２が、ストッパ片４に形成した係止部４２に係止されるようにする。
この状態で扉Ｄを開き、戸当たり片６が係止具本体Ｂの上方位置に到達すると、マグネット取付片７のマグネット７４によりストッパ片４が励磁され、このマグネット７４の吸着力にてストッパ片４が吸着され、この状態でさらに扉Ｄを開くと、ストッパ片４とマグネット７４とは互いに吸着されつつ摺動し、ストッパ片４の先端がマグネット取付片７又は戸当たり片６の一部に当接し、これにより扉Ｄは停止する。このとき、ストッパ片４はマグネット取付片７のマグネット７４に吸着された状態で保持される。
このとき、戸当たり片６の係止爪６２がストッパ片４の係止部としての幅広部４２に係止され、ロックが掛かった状態となり、扉Ｄが風にあおられても、或いは意に反した外力がかかった場合でも、扉Ｄは妄りに閉まることがない。
また、反対にこの戸当たり片６のロック状態を解除するには、戸当たり本体２Ａの戸当たり片６の操作片６７の操作部６７ａを足先、手指等にて押し上げるようにすれば、戸当たり片６に形成した係止爪６２のストッパ片４に形成した係止部４２への係止が解除され、扉は自由に閉じるようになる。
【００５０】
以上、本発明の戸当たりについて、複数の実施例に基づいて説明したが、本発明は上記実施例に記載した構成に限定されるものではなく、例えば、第１実施例の戸当たりにおいて、戸当たり片に形成した係止爪とストッパ片に形成した係止部（幅広部）を、参考例の戸当たりのように、１つの係止爪と係止孔で構成するようにする等、その趣旨を逸脱しない範囲において適宜その構成を変更することができるものである。
【００５１】
【発明の効果】
本発明の戸当たりによれば、扉側に固定し、マグネットを配設した戸当たり本体と、床面に固定し、床面より突出するようにストッパ片を揺動可能に配設した係止具本体とからなり、開扉時に扉が設定された位置にきたときに、マグネットの励磁吸着作用によりストッパ片を床面より突出させて戸当たり本体側に当接させ、それ以上の開扉を阻止するように構成した戸当たりにおいて、戸当たり本体を、扉に固定する本体ベースに、ストッパ片に形成した係止部に係止する係止爪を形成した戸当たり片と、マグネットを配設したマグネット取付片とを、共通の軸を介して、それぞれ独立して揺動可能に配設して構成したことにより、開扉時以外は係止具本体のストッパ片は床面より突出しないため、躓き等を未然に防止することができ、開扉時扉が係止具本体位置にきたときに、マグネットの励磁吸着作用によりストッパ片を床面より突出させて戸当たり本体側に当接させ、それ以上の開扉を阻止することができ、躓きにくくバリアフリー化を図ることができる。
そして、特に、戸当たり片に、ストッパ片に形成した係止部に係止する係止爪を形成することにより、人が扉に当たったり、強風等の強い力が扉に作用しても、扉が閉じるのを防止し、扉の開放状態を維持することができる。
なお、戸当たり片に形成した係止爪とストッパ片に形成した係止部との係止の解除は、例えば、足先で操作することもでき、高齢者や腰を屈めるのが困難な人でも簡単に操作することができるものとなる。
【００５２】
そして、戸当たり本体を、扉に固定する本体ベースに、ストッパ片に形成した係止部に係止する係止爪を形成した戸当たり片と、マグネットを配設したマグネット取付片とを、共通の軸を介して、それぞれ独立して揺動可能に配設して構成することにより、マグネットによるストッパ片の励磁吸着動作及び戸当たり片に形成した係止爪とストッパ片に形成した係止部との係止動作を円滑に行うようにすることができる。
【００５３】
また、戸当たり片を、該戸当たり片に形成した係止爪が、ストッパ片に形成した係止部に係止されない退避位置に保持できるようにすることにより、戸当たり片に形成した係止爪とストッパ片に形成した係止部との係止動作を選択的に行うようにしたり、行わないようにすることができる。
【００５４】
また、戸当たり片を、係止爪を形成した金属製の戸当たり片本体と、合成樹脂製の操作片とで構成することにより、所要の強度を有する戸当たり片を、容易に、かつ、製造コストを低廉に製造することができる。
【００５５】
また、係止具本体を、金属板部材からなる、床面に固定する係止具本体ベースと、該係止具本体ベースに軸支されるストッパ片とで構成するとともに、プレス加工により形成した凹凸部で以て軸受部を構成し、軸受部を含む係止具本体の厚みが、実質的に係止具本体ベース及びストッパ片を構成する金属板部材の板厚を合計したものとなるようにすることにより、係止具本体の厚みを薄くすることができ、躓ききくくバリアフリー化を容易に図ることができ、また、厚みの薄い係止具本体を、容易に、かつ、製造コストを低廉に製造することができる。
【図面の簡単な説明】
【図１】  戸当たりの参考例を示し、（Ａ）は扉が設定された開扉位置の近傍に来た状態を示す説明図、（Ｂ）は扉が開扉位置で戸当たりに係止された状態を示す説明図である。
【図２】  戸当たり本体を示し、（Ａ）は正面図、（Ｂ）は側面図、（Ｃ）は平面図である。
【図３】  戸当たり本体ベースを示し、（Ａ）は正面図、（Ｂ）は側面図、（Ｃ）は平面図である。
【図４】  戸当たり片を示し、（Ａ）は正面図、（Ｂ）は側面図、（Ｃ）は平面図、（Ｄ）は断面図である。
【図５】  戸当たり本体の断面図である。
【図６】  係止具本体を示し、（Ａ）は係止具体の平面図、（Ｂ）は断面図、（Ｃ）はストッパ片の平面図、（Ｄ）はストッパ片の断面図、（Ｅ）は係止具本体の断面図である。
【図７】  戸当たりのあおりを防止するロック状態を示す説明図である。
【図８】  本発明の戸当たり本体の作動形態の姿勢を示し、（Ａ）は通常の状態を、（Ｂ）は戸当たり片が保持片より外れて揺動した状態を、（Ｄ）はロック状態を、それぞれ示す。
【図９】  本発明の戸当たりの第１実施例の作動順序を示す説明図である。
【図１０】  本体ベースを示し、（Ａ）は正面図、（Ｂ）は平面図、（Ｃ）は側面図、（Ｄ）は正面図中央縦断面図、（Ｅ）はＸ−Ｘ線による断面図である。
【図１１】  戸当たり片を示し、（Ａ）は正面図、（Ｂ）は平面図、（Ｃ）は底面図、（Ｄ）は側面図、（Ｅ）は断面図である。
【図１２】  マグネット取付片を示し、（Ａ）は正面図、（Ｂ）は平面図、（Ｃ）は断面図、（Ｄ）は側面図である。
【図１３】  本発明の戸当たりの第２実施例の作動状態を示す説明図で、（Ａ）は戸当たり片に形成した係止爪がストッパ片に形成した係止部に係止されない退避位置に保持されたときの状態を示し、（Ｂ）は戸当たり片に形成した係止爪がストッパ片に形成した係止部に係止されたときの状態を示す。
【図１４】  本体ベースを示し、（Ａ）は平面図、（Ｂ）は正面図、（Ｃ）は背面図、（Ｄ）は側面図である。
【図１５】  戸当たり片本体を示し、（Ａ）は平面図、（Ｂ）は正面図、（Ｃ）は側面図である。
【図１６】  戸当たり片の操作片を示し、（Ａ）は側面図、（Ｂ）は平面図、（Ｃ）は正面図である。
【図１７】  マグネット取付片を示し、（Ａ）は平面図、（Ｂ）は側面図、（Ｃ）は正面図である。
【図１８】  係止具本体の断面図である。
【図１９】  係止具本体ベースを示し、（Ａ）は平面図、（Ｂ）は正面図、（Ｃ）は（Ａ）のＣ−Ｃ線による断面図、（Ｄ）は側面図、（Ｅ）は（Ｃ）のＥ部の拡大図である。
【図２０】  ストッパ片を示し、（Ａ）は平面図、（Ｂ）は正面図、（Ｃ１）は（Ｂ）のＣ部の拡大断面図（端部位置）、（Ｃ２）は（Ｂ）のＣ部の拡大断面図（中心位置）、（Ｃ３）は（Ｂ）のＣ部の拡大断面図（正面図）、（Ｄ）は側面図である。
【図２１】  係止具本体のカバーを示し、（Ａ）は平面図、（Ｂ）は側面図である。
【符号の説明】
Ａ，１Ａ，２Ａ  戸当たり本体
Ｂ，１Ｂ  係止具本体
Ｄ    扉
Ｆ    床面
Ｐ    ピン
１，５  本体ベース
１１，５１  ブラケット
１２  ピン孔
１３，５３  ビス孔
１４  保持片
１５  軸
２    戸当たり片
２０  本体
２１  操作片
２２  係止爪
２３  軸孔
２４  マグネット
２５  制御用溝
２６  ばね嵌挿孔
２７  ばね
２８  段面
３    係止具本体ベース
３０  ベース本体
３１  裏蓋溝
３２  窓孔
３３  ビス孔
３４  ビス孔
３６  係止溝
３７  裏蓋
４    ストッパ片
４１  係止片
４２  係止部（係止孔、幅広部）
６    戸当たり片
６０  本体
６２  係止爪
６４  軸孔
６７  操作片
６７ａ  操作部
７    マグネット取付片
７４  マグネット
８    軸
９    カバー
【図１】
0003939163.tif 000002
【図２】
0003939163.tif 000003
【図３】
0003939163.tif 000004
【図４】
0003939163.tif 000005
【図５】
0003939163.tif 000006
【図６】
0003939163.tif 000007
【図７】
0003939163.tif 000008
【図８】
0003939163.tif 000009
【図９】
0003939163.tif 000010
【図１０】
0003939163.tif 000011
【図１１】
0003939163.tif 000012
【図１２】
0003939163.tif 000013
【図１３】
0003939163.tif 000014
【図１４】
0003939163.tif 000015
【図１５】
0003939163.tif 000016
【図１６】
0003939163.tif 000017
【図１７】
0003939163.tif 000018
【図１８】
0003939163.tif 000019
【図１９】
0003939163.tif 000020
【図２０】
0003939163.tif 000021
【図２１】
0003939163.tif 000022